(57)【特許請求の範囲】
【請求項１】
一側に配置したハンドルで回転駆動されるドライブギヤをリールボディ内に収容し、このリールボディから上方に延びる脚部を介して釣竿に取付けられるリール本体と、このリール本体のリールボディを後方から覆うキャップ部材とを備える魚釣用スピニングリールであって、
前記脚部は、リールボディに隣接する後部領域に、互いに側方に離間して配置される複数の支柱部を有し、互いに隣接する支柱部間に、前記キャップ部材の一端部を配置し、これらの支柱部とキャップ部材の一端部とで、後方に開口する凹部を形成することを特徴とする魚釣用スピニングリール。
【請求項２】
前記キャップ部材の一端部は、側縁部が前記支柱部で係止され、側方への移動を規制される請求項１に記載の魚釣用スピニングリール。
【請求項３】
前記支柱部間の間隔は、リールボディ側から上方に向けて縮小し、前記キャップ部材の一端部の上方への移動を規制する請求項１又は２に記載の魚釣用スピニングリール。
【請求項４】
前記キャップ部材は、前記一端部に、リール本体に固定するための係合部を有し、前記脚部に、前記係合部が嵌合する受部が形成される請求項１から３のいずれか１つに記載の魚釣用スピニングリール。
【発明の詳細な説明】
【技術分野】
【０００１】
本発明は、魚釣用リールに関し、特に、リール本体の後方にキャップ部材を設けた魚釣用スピニングリールに関する。
【背景技術】
【０００２】
一般に、魚釣用スピニングリールは、釣竿に固定するための脚部を一体的に形成したリール本体にスプールを支持し、このリール本体の一側に回転可能に支持したハンドルを通じてこのリール本体のリールボディ内に組込んだ巻取り駆動機構のドライブギヤを駆動することにより、スプールに釣糸を巻回保持する構成を備えており、このようなスピニングリールには、リール本体の後部にキャップ部材を設けて、リール本体およびリール本体の内部に組込んだ構成部品の保護を図るものがある。
【０００３】
このようなキャップ部材をリール本体に固定するため、例えば、リール本体の後部の全幅を覆うキャップ部材の下端に設けた爪を介してリール本体に係止させ、脚部の前方から貫通孔内に挿入したねじで締付け、固定するものがある(例えば特許文献１参照）。
【０００４】
また、キャップ部材の装着面から前方に突出させた係止突起を、リール本体の脚部を前後方向に貫通する係止孔に挿通し、下方からねじ部材を締付けることにより、係止突起の上面を係止孔の上面に当接させて弾性係止するものがある（例えば特許文献２参照）。
【０００５】
更に、キャップ部材の内面とリール本体の外面とに互いに噛合い可能な係止部を形成し、これらの係止部に、下方から締付けるねじの力で互いに圧接し合うような角度を設けたものがある（例えば特許文献３参照）。
【先行技術文献】
【特許文献】
【０００６】
【特許文献１】実開平５−３９２６８号公報
【特許文献２】特開２００４−８１１５０号公報
【特許文献３】特開２００６−１１５８０８号公報
【発明の概要】
【発明が解決しようとする課題】
【０００７】
このような従来の魚釣用スピニングリールは、意匠性の向上と共にキャップ部材自体が他の部材の保持機能等の機能性を有する点で優れたものではあるが、しかし、キャップ部材がその周縁部を薄肉の板状で形成されることから、特に上端が、リール本体の外面に露出した状態で配置されることになる。
【０００８】
キャップ部材を、その外形に沿ってリール本体に凹設された成形部内に収容し、外面を周部と同じ面内に配置するとしても、その外形に沿って極僅かな隙間又は段部がリール本体との間に形成されることになる。このような隙間又は段部により、特に釣竿に近接する部分で釣り糸が引掛かり易く、絡まりやすい。また、釣り糸以外にも、外部の部材からの作用を受け易い。このような外力の作用は、キャップ部材に破損を生じさせる原因ともなる。
【０００９】
外部の部材からの作用による破損を防止するために、キャップ部材を厚肉構造に形成し、リール本体に対して強固に固定しようとすると、魚釣用スピニングリール自体の重量が増大することになる。
【００１０】
本発明は上述のような事情に基いてなされたもので、外力が作用し難く、釣り糸が引掛かり難い、比剛性及び比強度に優れた魚釣用スピニングリールを提供することを目的とする。
【課題を解決するための手段】
【００１１】
上記目的を達成する本発明の魚釣用スピニングリールは、一側に配置したハンドルで回転駆動されるドライブギヤをリールボディ内に収容し、このリールボディから上方に延びる脚部を介して釣竿に取付けられるリール本体と、このリール本体のリールボディを後方から覆うキャップ部材とを備える魚釣用スピニングリールであって、前記脚部は、リールボディに隣接する後部領域に、互いに側方に離間して配置される複数の支柱部を有し、互いに隣接する支柱部間に、前記キャップ部材の一端部を配置し、これらの支柱部とキャップ部材の一端部とで、後方に開口する凹部を形成することを特徴とする。
【００１２】
前記キャップ部材の一端部は、側縁部が前記支柱部で係止され、側方への移動を規制されることが好ましい。
【００１３】
前記支柱部間の間隔は、リールボディ側から上方に向けて縮小し、前記キャップ部材の一端部の上方への移動を規制するものであることが好ましい。
【００１４】
また、前記キャップ部材は、前記一端部に、リール本体に固定するための係合部を有し、前記脚部に、前記係合部が嵌合する受部が形成されるものであってもよい。
【発明の効果】
【００１５】
本発明の魚釣用スピニングリールによると、脚部がリールボディに隣接する後部領域に複数の支柱部を有することにより、側方向における比剛性及び比強度が向上すると共に、支柱部間にキャップ部材の一端部が配置されることにより、この一端部の端面が外部に露出せず、リール本体との間に隙間又は段部のない滑らかな外面形状を形成し、釣り糸又は外部部材からの作用を受け難くなる。
【００１６】
キャップ部材が一端部の側縁部を支柱部で係止され、側方への移動を規制される場合には、キャップ部材に作用する力が支柱部を介してリール本体に直接伝達され、他の部位に負荷が作用するのを防止することができる。
【００１７】
これらの支柱部間の間隔がリールボディ側から上方に向けて縮小し、キャップ部材の一端部の上方への移動を規制する場合には、キャップ部材の取付けが容易に行うことができると共に、凹部を介してキャップ部材の一端部を容易に視認することができ、組立て及びメインテナンスを容易に行うことができる。
【００１８】
キャップ部材の一端部に形成した係合部と、リール本体に形成した受部とを介してキャップ部材をリール本体に固定する場合には、キャップ部材の動きを規制する方向にキャップ部材を固定するための締結部材を配置することで、効率よく取付けることができる。
【図面の簡単な説明】
【００１９】
【図１】本発明の好ましい実施形態による魚釣用スピニングリールの側面図。
【図２】分解したリール本体をキャップ部材と共に示す説明図。
【図３】リール本体にキャップ部材を取付けた状態の断面図。
【図４】図３のリール本体を後部側から見た説明図。
【図５】リール本体の一部を示し、（Ａ）は一部を断面とした側面図、（Ｂ）は背面図、（Ｃ）は底面図。
【図６】リール本体の脚部の断面を示し、（Ａ）は図５の６Ａ−６Ａに沿う断面図、（Ｂ）は図５の６Ｂ−６Ｂに沿う断面図。
【図７】キャップ部材を示し、（Ａ）は後面図、（Ｂ）は側面図、（Ｃ）は（Ｂ）の右から見た前面図、（Ｄ）は（Ｂ）の７Ｄ−７Ｄに沿う断面図、（Ｅ）は（Ｂ）の７Ｅ−７Ｅに沿う断面図。
【図８】他の実施形態による魚釣用スピニングリールの図１と同様な説明図。
【図９】図８の魚釣用スピニングリールの図３と同様な断面図。
【図１０】図８の魚釣用スピニングリールの脚部を示し、（Ａ）は図９の１０Ａ−１０Ａに沿う断面図、（Ｂ）は１０Ｂ−１０Ｂに沿う断面図。
【発明を実施するための形態】
【００２０】
図１から図７は、本発明の好ましい実施形態による魚釣用スピニングリール１０を示す。
【００２１】
図１に全体を示すように、この魚釣用スピニングリール１０は、リール本体１２の一側に配置したハンドル１４を回転すると、リール本体１２の前方に配置したスプール１６が前後に往復動し、これに同期してロータ１８が回転される。ハンドル１４は、自由に左右に付替えることができ、このハンドル１４の回転操作でロータ１８が回転すると、このロータ１８に設けたベール２０及び図示しない釣り糸案内部を介して釣り糸がスプール１６の巻回胴部１６ａに均等に巻き取られる。釣り糸をスプール１６から放出する場合は、ベール２０及びこのベール支持部材２０ａを図１に示す巻取位置から反対側に反転する。ベール２０が反転した位置にあっても、ハンドル１４を正転方向（釣糸をスプールに巻き取る方向の回転）に回転すると、図示しない復帰機構を介して、釣糸放出位置にあるベール２０は、図１に示す釣糸巻取位置に復帰することができる。
【００２２】
これらのスプール１６及びロータ１８は、適宜の構造のものを用いることができる。
【００２３】
このロータ１８の内側には、リール本体１２に対するこのロータ１８の回転状態を、逆転防止状態と正逆転可能状態とに切換える公知の逆転防止機構（図示しない）が配置されており、リール本体１２の下方側に配置したクラッチレバーＬを操作することにより、例えば逆転防止機構の一方向クラッチを介して、ロータ１８が釣糸巻取方向（正転方向）および釣糸繰出方向（逆転方向）に自由に回転できる正逆転可能状態と、正転方向にのみ回転可能な逆転防止状態とに切換えられる。
【００２４】
図２から図４に示すように、リール本体１２は、一側に開口する内部空間Ｎを形成したリールボディ１２ａと、この内部空間Ｎを閉じる蓋体１２ｂとを有し、リールボディ１２ａから上方に延出する脚部１２ｃの先端である上端部に、前後方向に延びる竿取付部１２ｄが一体に形成され、この竿取付部１２ｄを介して図示しない釣竿に固定される。蓋体１２ｂは、リールボディ１２ａの開口端に配置した適宜の位置決め部材を通じて正確に位置決めし、図示の実施形態では４本である複数本のねじ２２を、装着孔２２ｂを通してリールボディ１２ａのねじ孔２２ａに締付けることにより、リールボディ１２ａに固定される。
【００２５】
この蓋体１２ｂの外方に突出する軸受ハウジング部１３ｂ（図４）内には、軸受部材（図示しない）が配置されており、リールボディ１２ａの外方に突出した軸受ハウジング部１３ａ（図４）内に設けられた軸受部材（図示しない）と共に、ハンドル１４で回転駆動される駆動軸２４を回転自在に支える。また、リールボディ１２ａの前部には、内部空間Ｎに連通する円筒状の筒部１１ａを形成してある。
【００２６】
リールボディ１２ａ、脚部１２ｃ及び竿取付部１２ｄは、例えばアルミニウム合金、マグネシウム合金等の金属や、ＡＢＳ樹脂、ＰＡ樹脂等の高強度樹脂や、ＣＦＲＰ、ＧＦＲＰ等の繊維強化樹脂等で剛性構造に形成してあり、スプール１６を前後に往復動させるスプール往復動装置やロータ１８を回転駆動する巻取駆動機構等を形成する内部空間Ｎ内に配置した各部材の正確な動作を確保すると共に、外力から保護する。蓋体１２ｂも、同様な強度を持つ剛性構造に形成することが好ましい。
【００２７】
図３に概略的に示すように、内部空間Ｎ内には、ハンドル軸２４に一体的に形成されたドライブギヤ２６ａが配置されており、このドライブギヤ２６ａにより、図示しない巻取駆動機構のピニオンギヤを介して上述のロータ１８が回転駆動される。また、これに同期して、スプール往復動装置の連動歯車２６ｂが回転され、この連動歯車の偏心位置に設けたピン（図示しない）が摺動体２８のカム溝（図示しない）内を移動しつつ摺動体２８及びスプール軸３０を往復動する。このスプール軸３０は、リールボディ１２ａに一体的に形成されて内部空間Ｎ内に突出する支持台３２で案内されつつ、先端に配置したスプール１６と共に前後動する。各部材は、剛性構造のリールボディ１２ａ及び蓋体１２ｂにより、滑らかな動作が確保される。
【００２８】
特に、図５及び図６に示すように、このリール本体１２は、脚部１２ｃの基部領域３４すなわちリールボディ１２ａに隣接する領域が、本実施形態では３つの支柱部３４ａ，３４ｂ，３４ｃを有している。これらの支柱部は、それぞれ脚部１２ｃの一部であり、一体構造の分岐部を形成する。
【００２９】
図５の（Ａ），（Ｂ）及び図６の（Ａ）に示すように、前方に配置される支柱部３４ａは、両側面がリールボディ１２ａ及び蓋体１２ｂの前方位置すなわち板部１１ｂ（図２）の後方位置でリールボディ１２ａ及び蓋体１２ｂの両側から連続した状態で、側方寸法を次第に減少させつつ上方に向けて延び、その前面側がリールボディ１２ａの前部から略ハンドル軸２４の上方位置で最も後方に配置される凹面形状を形成する。この前面は、スプール軸３０に平行な断面内で、図６の（Ａ）に示す曲率の小さな面から次第に大きく湾曲して（Ｂ）に示す曲率の大きな曲面形状に移行する。
【００３０】
また、後方から見て右側に配置される支柱部３４ｂと左側に配置される支柱部３４ｃは、支柱部３４ａから後方に離間した位置で、互いに側方に離間して配置される。支柱部３４ｂ，３４ｃの外側面は、前方側が後方側よりも外方に広がる傾斜面状に形成されており、それぞれリールボディ１２ａ及び蓋体１２ｂの側面から連続して延び、前方かつ上方に湾曲する湾曲面を形成する。これらの外側面間の間隔は、前方側及び後方側が共に上方に向けて次第に縮小する。それぞれの外側面は、軸受ハウジング部１３ａの上方位置に至ると、前方の支柱部３４ａに連結される。
【００３１】
更に、これらの支柱部３４ｂ，３４ｃの後面も、リールボディ１２ａ及び蓋体１２ｂの後面から前方に向けて凸状の曲線を形成しつつ上方に湾曲して延び、軸受ハウジング部１３ａの上方位置で合流し、この後、図６の（Ｂ）に断面で示す１つの面として上方に延びる。支柱部３４ａの前面と支柱部３４ｂ，３４ｃの後面との間の間隔も上方に向けて次第に減少する。竿取付部１２ｄに隣接する部位では、脚部１２ｃが竿取付部１２ｄとが互いに略直交する方向に配置されると共に、左右及び前後方向のほぼ重心位置に配置することにより、釣竿と共に魚釣用リール１０を握持したとき取り扱いが容易となる。この竿取付部１２ｄに隣接する部位は、図５の（Ａ）及び（Ｂ）に示すように、前後方向よりも左右方向の寸法が大きい偏平構造に形成することが好ましい。
【００３２】
なお、支柱部３４ａ，３４ｂ，３４ｃの各面は、例えばその面する方向にしたがって前面、側面、後面又は内面と称するもので、各面を厳密に区画することは必要でない。必要な場合には、図６に示すように、その間の稜線部で特定し、大部分を形成する面部の曲率半径より小さくなる部位によって特定することもできる。いずれの場合も、これらの各支柱３４ａ，３４ｂ，３４ｃの外面は滑らかな曲面状の外面に形成すると共に、互いに合流する部位の内面間にはらかな円弧状の湾曲面を形成し、釣り糸が引掛かりを防止することが好ましい。
【００３３】
このように、本実施形態の脚部１２ｃは、リールボディ１２ａに隣接する基部領域３４に、後部領域に配置される２つの支柱部３４ｂ，３４ｃと、前部領域に配置される１つの支柱部３４ａとを互いに離間させて形成し、隣接する支柱部間の間隔が上方に向けて次第に減少する。後部に配置される支柱部３４ｂ，３４ｃは、左右方向の比剛性・比強度を向上させ、リール本体１２の軽量化と剛性感を向上させることができ、側方及び前後に好適なバランスを確保することができ、魚釣り操作が容易となる。
【００３４】
また、リールボディ１２ａ及び蓋体１２ｂの外面が、この基部領域３４を介して滑らかに移行することができ、釣り糸が引っ掛り難い外面を形成する。このような基部領域３４は、リールボディ１２ａ又は蓋体１２ｂの上端から竿取付部１２ｄに至る脚部１２ｃの全長に対して１５〜５０％程度に形成することが好ましい。
【００３５】
このリール本体１２の後部には、リールボディ１２ａと蓋体１２ｂとの接合部を覆ってリールボディ１２ａ及び蓋体１２ｂの下側の底部部位から脚部１２ｃが突出する上部部位に達する範囲に、後述するキャップ部材５０が取付けられる。
【００３６】
基部領域３４の支柱部３４ｂ，３４ｃの互いに対向する内面３６は、リールボディ１２ａに隣接する部位で、前方及び上方に向けてテーパ状に次第に狭まる間隙Ｇを形成する。この間隙Ｇは、前部の支柱部３４ａの内面３８との間で両側方にも開口すると共に、後方に開口し、後方からキャップ部材５０を受入れることができる。間隙Ｇの上下方向の寸法は、キャップ部材５０の厚さよりも十分大きく、キャップ部材５０を受入れたときに、このキャップ部材５０と内面３６とで、後方に開口する凹部を形成する。
【００３７】
このキャップ部材５０に形成した係合部（後述する）を嵌合するための受部４０として、左右方向に延びる溝が間隙Ｇの前端側を閉じる支柱部３４ａの内面である後面３８に形成してあり、リールボディ１２ａの底部に締結部材すなわち止めねじ７０で取付けられたキャップ部材５０の上端に係合して保持することができる。リールボディ１２ａの底部に示す符号４２は、キャップ部材５０を左右方向に位置決めするための位置決め凹部を示し、４２ａは、キャップ部材５０の基端部５０ｃの端面に契合する係合面を示す。
【００３８】
更に、リールボディ１２ａの後部には、キャップ部材５０の上方移動を阻止する係止突部４４ａと係止凹部４４ｂとを形成してあり、ねじ受４６に近接して後方に突設した突起４８をキャップ部材５０の内面に当接させて支えることにより、キャップ部材５０の変形を防止するようにしてもよい。
【００３９】
図３，４，７に示すように、本実施形態のキャップ部材５０は、全体が３つの領域から形成してある。上方に配置される一端部すなわち先端部５０ａは、ハンドル軸２４から最も後方に引き込められた摺動体２８の上方に重なる領域にわたって延設され、中間部５０ｂは、脚部１２ｃの基部からスプール軸３０の後方かつ下方の最も後方に突出する領域にわたってこのリールボディ１２ａの後方に重なる状態に延設され、基端部５０ｃは、リールボディ１２ａの最も後方に突出した位置から駆動軸２４の下方に重なる領域にわたって延設されている。これらの一端部５０ａと中間部５０ｂと基端部５０ｃは、先端部５０ａから基端部５０ｃに向けて順に幅広に形成されている。
【００４０】
図７に示すように、キャップ部材５０は、長手方向の中心面Ｃに沿って中央頂部５２を延設し、この中央頂部５２の両側に側部５４，５６を配置した対称形状に形成してある。中央頂部５２は、先端部５０ａから中間部５０ｂに沿って次第に側方に広がる幅広に形成してあり、基端部５０ｃでは、リールボディ１２ａの後端側から前方に向けて扇形に広がる。
【００４１】
これらの中央頂部５２と両側部５４，５６との間に、外方に突出する角部あるいは稜線部５５，５７をその長手方向に沿って形成することが好ましく、これらの稜線部５５，５７により、このキャップ部材５０の剛性及び強度を向上させることができる。特に、これらの稜線部５５，５７をキャップ部材５０の外部に露出した部分すなわち支柱部３４ｂ，３４ｃの外面よりも後方に配置される部分に形成することにより、このキャップ部材５０の剛性及び強度を向上させ、更に、キャップ部材５０とリールボディ１２ａとの間に空隙Ｓ（図３）を成することができ、キャップ部材５０が衝撃で変形した場合でも、リール本体１２に衝撃が作用するのを防止し、保護することができる。
【００４２】
このような稜線部５５，５７により、先端部５０ａの中間部５０ｂ側から、中間部５０ｂ及び基端部５０ｃに連通する凹設部５８を形成する。側部５４，５６の内面には、リールボディ１２ａの角部に係合する溝５４ａ，５６ａをそれぞれの側縁部に沿って形成することが好ましい。
【００４３】
この凹設部５８内には、基端部５０ｃでねじ止め部６０が突出する。このねじ止め部６０は、止めねじ７０（図２，３）の頭部が中央頂部５２から突出しない深さに形成してあり、このねじ止め部６０の内面は、止めねじ７０を締付けたときに、リールボディ１２ａのねじ受け４６の外面に当接することが好ましい。
【００４４】
更に、基端部５０ｃの端面から、位置決め突起６４を突出させてあり、この端面をリールボディ１２ａの底部の係合面４２ａに当接させ、位置決め突起６４をリールボディ１２ａに形成した位置決め凹部４２に係合することにより、左右方向の位置決めが行われる。また、上下方向の位置決めを行うため、キャップ部材５０の中間部５０ｂでは、リールボディ１２ａの係止突部４４ａ及び係止凹部４４ｂの下側に係合する係止板部６２ａと、係止凹部４４ｂに嵌合する係止突部６２ｂとを形成してある。これにより、ねじ止め部６０を介してリールボディ１２ａのねじ受け４６に止めねじ７０を締付けたときに、キャップ部材５０の上方への動きを防止することができる。
【００４５】
本実施形態のキャップ部材５０は、特に前方側で、先端部５０ａの側部５４，５６が平坦状に形成され、凹設部５８が形成されないか、あるいは、僅かに凹面状の湾曲面をなす内面がリールボディ１２ａの頂部に載置される。
【００４６】
この先端部５０ａの先端側は、側部５４，５６間の幅が支柱部３４ｂ，３４ｃの内面３６間のテーパ状の間隙Ｇに対応し、又は、これよりも僅かに幅狭のテーパ状に形成してあり、支柱部３４ｂ，３４ｃ間の間隙Ｇ内に後方から自由に差し込むことができる。また、この先端部５０ａの、先端からは、支柱部３４ａの内面３８に形成した受部４０に嵌合する係合部６６を設けてある。本実施形態の係合部６６は、受部４０を形成する溝に係合する突片として形成してあるが、先端部５０ａの先端の円弧状部分で形成してもよい。
【００４７】
これにより、キャップ部材５０の先端部５０ａを支柱部３４ｂ，３４ｃ間の間隙Ｇ内に差し込む際、内面３６が側部５４，５６をその側縁部に沿って案内し、係合部６６が受部４０に嵌合した後は、側面３６が先端部５０ａを係止して側方への移動を規制する。更に、内面３６間に形成される間隙Ｇは、前方に向けて縮小して狭まると共に、上方にも縮小して狭まるテーパ状に形成されているため、先端部５０ａの上方移動も規制する。これは、内面３６がキャップ部材５０を所要位置に正確に案内すると共に、止めねじ７０を受け部４６に締付けるときに、キャップ部材５０に作用する力を均等に受けることができ、取付作業を容易にする。勿論、間隙Ｇの周部は滑らかな湾曲面とし、釣り糸が当っても損傷しない形状に形成することは明らかである。
【００４８】
止めねじ７０を配置する位置及びその締付方向は適宜の選択することが可能であるが、特に、キャップ部材５０の先端部５０ａに形成した係合部６６と、リール本体１２に形成した受部４０を介してキャップ部材５０をリール本体１２に固定する場合には、これらの係合部６６が受部４０を形成する溝に係合してキャップ部材５０の動きを規制する方向に、キャップ部材５０を固定するように止めねじ７０の位置及び締付方向を配置することで、効率よく取付けることができる。すなわち、止めねじ７０と異なる方向への動きを規制することで装着状態が安定する。必要な場合には、一箇所に限らず、複数の位置に止めねじ７０を設けることもでき、ねじ受け４８、ネジ止め部６０及び止めねじ７０のサイズも適宜に調整することができる。
【００４９】
なお、係合部６６と受部４０とは上述の実施形態とは逆に形成してもよい。例えば、受部４０として突片を支柱部３４ａに形成し、係合部６６として溝をキャップ部材５０に形成することも可能である。また、先端部５０ａの先端と支柱部３４ａの内面３８とに設けることに代え、側部５４，５６と内面３６とに設けることも可能である。
【００５０】
この魚釣用スピニングリール１０を組立てる場合は、リールボディ１２ａの内部空間Ｎ内に所要の部材を組込み、蓋体１２ｂを閉じ、リールボディ１２ａと蓋体１２ｂとを一体にした後、キャップ部材５０をリール本体１２の後方から装着する。位置決め用突起６４と位置決め凹部４２とを嵌合して左右方向の位置決めを行うと共に、係止板部６２ａと係止突部６２ｂとを、リール本体１２の係止突部４４ａと係止凹部４４ｂとに係合させて上下方向の位置決めを行う。この際、先端部５０ａを支柱部３４ｂ，３４ｃ間に差し込むことにより、キャップ部材５０の左右方向及び上下方向の位置決めを容易に行うことができるため、係止板部６２ａ及び係止突部６２ｂの位置確認を容易に行うことができる。
【００５１】
また、間隙Ｇがキャップ部材５０の厚さよりも十分大きな上下方向寸法を形成するため、先端部５０ａと支柱３４ｂ、３４ｃの内面３６とで形成される凹部を介して、先端部５０ａの位置を外部から容易に確認することができる。製造時の組み立てに限らず、キャップ部材５０を取外して整備する際の作業も極めて容易である。
【００５２】
更に、先端部５０ａが支柱部３４ｂ，３４ｃの内面３６で左右方向及び上方への移動を規制されるため、魚釣用スピニングリール１０の使用中に、キャップ部材５０に外力が作用しても、先端部５０ａを介して３つの支柱部３４ａ，３４ｂ，３４ｃに直接力を伝達することができるため、ねじ止め部６０、係止板部６２ａ、係止突部６２ｂ等に無理な力が作用するのを防止することができる。
【００５３】
このキャップ部材５０は、例えばＡＢＳ樹脂、ＰＣ樹脂等のリール本体１２を形成する材料よりも低比重材料で形成することにより、支柱部３４ａ，３４ｂ，３４ｃに損傷を与えることがなく、損傷した場合には、このキャップ部材５０のみを交換することで維持コストを向上することもできる。更に、このキャップ部材５０と支柱部３４ｂ，３４ｃの内面３６とで、後方に開口する凹部を形成することにより、このキャップ部材５０の外面を脚部１２ｃの後方から視認できるため、その外観を優れたものにすることができる。このキャップ部材５０は、支柱部３４ａと支中部３４ｂ，３４ｃとの間に形成される間隙を介して側方からも視認できるため、外観が向上させることができる。
【００５４】
このように、本実施形態の魚釣用スピニングリール１０では、脚部１２のリールボディに隣接する基部領域３４の後部に２つの支柱部３４ｂ，３４ｃを有することにより、左右側方向における比剛性及び比強度が向上すると共に、支柱部３４ｂ，３４ｃ間にキャップ部材５０の先端部５０ａが配置されることにより、この先端部５０ａの端面が外部に露出せず、リール本体１２との間に隙間又は段部のない滑らかな外面形状を形成し、釣り糸又は外部部材からの作用を受け難くなる。
【００５５】
図８から図１０は他の実施形態による魚釣用スピニングリール１０Ａを示す。本実施形態は基本的には上述の実施形態と同様であるため、同様な部位には同様な符号を付し、その詳細な説明を省略する。
【００５６】
本実施形態では、基部領域３４Ａを図１０の（Ｂ）に示すように後方に開口する断面Ｕ字状に形成してあり、支柱部３４ａに支柱部３４ｂ，３４ｃが一体化されている。したがって間隙Ｇは後方にのみ開口し、側方には開口しない。そして、前方の支柱部３４ａを貫通して間隙Ｇに開口する貫通孔６８が受部として前後方向に形成してある。また、キャップ部材５０Ａの先端部５０ａの先端には、貫通孔６８の挿通した固定ねじ７２が螺合するねじ孔７４を係合部として形成してある。受部を形成する貫通孔６８は段付構造に形成し、固定ねじ７２の頭部が脚部１２ｃの前方に突出しないことが好ましい。
【００５７】
この実施形態においても、キャップ部材５０の先端部５０ａが間隙Ｇを形成する内面３６間で案内されるため、位置決めが容易である。固定ねじ７２を締め付けることにより、先端部５０ａが間隙Ｇ内を前方に引きつけられ、より確実に位置決めし、保持することができる。
【００５８】
基部領域３４Ａに間隙Ｇが形成されることにより、左右側方向における比剛性及び比強度が向上し、更に、支柱部３４ｂ，３４ｃ間にキャップ部材５０の先端部５０ａが配置されることにより、この先端部５０ａの端面が外部に露出せず、リール本体１２との間に隙間又は段部のない滑らかな外面形状を形成し、釣り糸又は外部部材からの作用を受け難くなる。
【００５９】
なお、このような貫通孔６８と固定ねじ７２は、図１から図８に示すように、３つの支柱部を有する実施形態にも用いることができる。この場合のねじ孔７４は、係合部６６を形成する突片に形成してもよく、又は、突片を形成せずに、先端部５０ａの先端に直接形成することも可能である。
以下に、本願出願の当初の特許請求の範囲に記載された発明を付記する。
［１］
一側に配置したハンドルで回転駆動されるドライブギヤをリールボディ内に収容し、このリールボディから上方に延びる脚部を介して釣竿に取付けられるリール本体と、このリール本体のリールボディを後方から覆うキャップ部材とを備える魚釣用スピニングリールであって、
前記脚部は、リールボディに隣接する後部領域に、互いに側方に離間して配置される複数の支柱部を有し、互いに隣接する支柱部間に、前記キャップ部材の一端部を配置し、これらの支柱部とキャップ部材の一端部とで、後方に開口する凹部を形成することを特徴とする魚釣用スピニングリール。
［２］
前記キャップ部材の一端部は、側縁部が前記支柱部で係止され、側方への移動を規制される［１］に記載の魚釣用スピニングリール。
［３］
前記支柱部間の間隔は、リールボディ側から上方に向けて縮小し、前記キャップ部材の一端部の上方への移動を規制する［１］又は［２］に記載の魚釣用スピニングリール。
［４］
前記キャップ部材は、前記一端部に、リール本体に固定するための係合部を有し、前記脚部とリールボディとの一方に、前記係合部が嵌合する受部が形成される［１］から［３］のいずれか１つに記載の魚釣用スピニングリール。
【符号の説明】
【００６０】
１０…魚釣用スピニングリール、１２…リール本体、１２ａ…リールボディ、１２ｃ…脚部、１４…ハンドル、２６ａ…ドライブギヤ、３４ａ，３４ｂ，３４ｃ…支柱部、５０…キャップ部材、５０ａ…先端部（一端部）、Ｇ…間隙。
【図１】
0005371911.tif 000002
【図２】
0005371911.tif 000003
【図３】
0005371911.tif 000004
【図４】
0005371911.tif 000005
【図５】
0005371911.tif 000006
【図６】
0005371911.tif 000007
【図７】
0005371911.tif 000008
【図８】
0005371911.tif 000009
【図９】
0005371911.tif 000010
【図１０】
0005371911.tif 000011